(57)【要約】【課題】エアー・ポンプを電源が入ったままで、水の中に落としても、それを取り出すときに、人体の感電を確実に防止して、高度の安全を図る。【解決手段】交流電源により電磁式のポンプ駆動装置を作動し、ダイヤフラム式のポンプ装置を駆動するエアー・ポンプＰ１において、商用交流電源から交流電源を、ＡＣアダプタ４により、必要低電圧の直流電源に変換し、当該直流電流を、インバータ装置５により、交流電源に変換してポンプ駆動装置へ供給する。【選択図】図１
2008057408.tif 000002
【特許請求の範囲】
【請求項１】
空気を吸入、吐出するダイヤフラム式のポンプ装置と、交流電源により作動され、前記ポンプ装置を駆動する電磁式のポンプ駆動装置と、これら各部を収容するケースとを備え、空気を供給するエアー・ポンプにおいて、
商用交流電源に接続するＡＣ電源プラグを有し、交流電源を必要低電圧の直流電源に変換するＡＣアダプタと、
前記ＡＣアダプタに機械的電気的に接続され、前記直流電源を交流電源に変換して前記ポンプ駆動装置へ供給するインバータ装置とを備え、
商用交流電源を必要低電圧の交流電源に変換して前記ポンプ駆動装置に供給することを特徴とするエアー・ポンプ。
【請求項２】
インバータ装置はケースに内蔵され、ＡＣアダプタはケーブルを介して、前記ケースに内蔵されたインバータ装置に接続される請求項１に記載のエアー・ポンプ。
【請求項３】
インバータ装置はケースの外部に一体的に設けられて、前記インバータ装置とポンプ駆動装置が機械的電気的に結合され、ＡＣアダプタはケーブルを介して、前記ケースの外部に設けられたインバータ装置に接続される請求項１に記載のエアー・ポンプ。
【請求項４】
インバータ装置はケースと別体の外置き式に構成されて、前記インバータ装置とＡＣアダプタが機械的電気的に結合され、前記インバータ装置と前記ポンプ駆動装置がケーブルを介して接続される請求項１に記載のエアー・ポンプ。
【請求項５】
交流電源により電磁式のポンプ駆動装置を作動し、ダイヤフラム式のポンプ装置を駆動するエアー・ポンプの駆動方法において、
商用交流電源から交流電源を、ＡＣアダプタにより、必要低電圧の直流電源に変換し、
当該直流電流を、インバータ装置により、交流電源に変換して前記ポンプ駆動装置へ供給することを特徴とするエアー・ポンプの駆動方法。
【発明の詳細な説明】
【技術分野】
【０００１】
本発明は、エアー・ポンプ及びその駆動方法に関し、特に、観賞魚飼育用の水槽の水の中にエアを供給する他、一般の家庭やオフィスなどでエアーの供給が必要な各種の目的、用途に利用できるダイヤフラム振動形式の小型のエアー・ポンプ及びその駆動方法に関する。
【背景技術】
【０００２】
一般に、この種のエアー・ポンプは、観賞魚飼育用の水槽内の水にエアレーションを行ったり、水槽内の水にエアリフトを形成したり、水槽内の水を浄化する濾過装置に水を通したりするのに使用されている。従来のエアー・ポンプは、空気を吸入し、送り出すダイヤフラムを有するポンプ装置と、電磁駆動機構の電磁作用によって往復運動するマグネット付きのアームで、ダイヤフラムを駆動する形式のポンプ駆動装置とを備え、これらの装置が横長の略直方体形状のケースに収容されている。また、ケースの外部には、底面にゴム製の脚が取り付けられ、一方の側面からは、ポンプ駆動装置に接続された電源プラグ付きの電源コードが延ばされている。このエアー・ポンプは水槽の外部近傍に設置され、空気の出口にホースが取り付けられてエアーを送る各種器具に連結され、電源コードが電源に接続される。この種のエアー・ポンプは本願出願人により提案された特許文献１に記載されている。
【特許文献１】特開平８−１５９０３６号公報
【発明の開示】
【発明が解決しようとする課題】
【０００３】
しかしながら、この種のエアー・ポンプは、一般に、家庭用の交流電源が使用されるため、作動中のエアー・ポンプには、人体に影響のある高電圧の電源が供給されており、また、エアー・ポンプが、特に観賞魚飼育用の水槽に使用される場合、水槽の近くに設置されることが多いため、ユーザーが誤って、エアー・ポンプを水の中に落としてしまうことがあり、エアー・ポンプを電源が入ったままで、水の中に落としてしまうと、それを取り出すときに、感電するおそれがあり、高度の安全を図る必要があるという問題がある。
【０００４】
本発明は、このような従来の問題を解決し、この種のエアー・ポンプにおいて、エアー・ポンプを電源が入ったままで、水の中に落としても、それを取り出すときに、人体の感電を確実に防止して、高度の安全を図ることを目的とする。
【課題を解決するための手段】
【０００５】
上記目的を達成するために、本発明のエアー・ポンプは、空気を吸入、吐出するダイヤフラム式のポンプ装置と、交流電源により作動され、前記ポンプ装置を駆動する電磁式のポンプ駆動装置と、これら各部を収容するケースとを備え、空気を供給するエアー・ポンプにおいて、商用交流電源に接続するＡＣ電源プラグを有し、交流電源を必要低電圧の直流電源に変換するＡＣアダプタと、前記ＡＣアダプタに機械的電気的に接続され、前記直流電源を交流電源に変換して前記ポンプ駆動装置へ供給するインバータ装置とを備え、商用交流電源を必要低電圧の交流電源に変換して前記ポンプ駆動装置に供給することを要旨とする。この場合、インバータ装置はケースに内蔵され、ＡＣアダプタはケーブルを介して、前記ケースに内蔵されたインバータ装置に接続される。また、インバータ装置はケースの外部に一体的に設けられて、前記インバータ装置とポンプ駆動装置が機械的電気的に結合され、ＡＣアダプタはケーブルを介して、前記ケースの外部に設けられたインバータ装置に接続されるようにしてもよい。さらに、インバータ装置はケースと別体の外置き式に構成されて、前記インバータ装置とＡＣアダプタが機械的電気的に結合され、前記インバータ装置と前記ポンプ駆動装置がケーブルを介して接続されるものでもよい。
【０００６】
また、本発明のエアー・ポンプの駆動方法は、交流電源により電磁式のポンプ駆動装置を作動し、ダイヤフラム式のポンプ装置を駆動するエアー・ポンプの駆動方法において、商用交流電源から交流電源を、ＡＣアダプタにより、必要低電圧の直流電源に変換し、当該直流電流を、インバータ装置により、交流電源に変換して前記ポンプ駆動装置へ供給することを要旨とする。
【発明の効果】
【０００７】
本発明のエアー・ポンプ及びその駆動方法は、上記の構成及び方法により、エアー・ポンプを電源が入ったままで、水の中に落としても、それを取り出すときに、人体の感電を確実に防止して、高度の安全を図ることができる。
【発明を実施するための最良の形態】
【０００８】
以下、本発明の実施の形態について、図１乃至図４を用いて説明する。図１及び図２に第１の実施の形態を示している。図１及び図２に示すように、エアー・ポンプＰ１は、観賞魚飼育用の水槽などに併設されて、水槽の水の中にエアを供給するのに使用する小型のエアー・ポンプで、従来（特許文献１の発明）と同様に、空気を吸入し、送り出すダイヤフラム式のポンプ装置１と、交流電源により作動され、ポンプ装置１を駆動する電磁式のポンプ駆動装置２とを備え、これら各部がケース３に収容されて構成される。そして、このエアー・ポンプＰ１には、特有の電源供給方式が採用され、商用交流電源に接続するためのＡＣ電源プラグ４１を有し、交流電源を必要低電圧の直流電源に変換するＡＣアダプタ４と、ＡＣアダプタ４に機械的電気的に接続され、直流電源を交流電源に変換してポンプ駆動装置２へ供給するインバータ装置５とを併せて備える。
【０００９】
ポンプ装置１は、タンク１１と、ダイヤフラム１５とにより構成される。この場合、タンク１１は、プラスチック材からなり、ベース１２と、このベース１２上に相互に隣接して立ち上げられたダイヤフラム接合部１３及び柱状部１４とにより構成される。ベース１２は箱形に形成され、内部に空気流路が形成される。なお、このベース１２上には外側に向けて突出するねじ通し孔を有する取付フランジ１２Ｆが併せて設けられる。ダイヤフラム接合部１３は、ベース１２に連続する略Ｄ字形形状部１３Ｄと、その片側一方の面に突出する略円筒形状部１３Ｒとを有する複合形状に構成される。略Ｄ字形形状部１３Ｄにはベース１２内部の空気流路に連通する空気流路が形成される。また、この略Ｄ字形形状部１３Ｄの頂部に上方に突出する突起１３１が設けられる。円筒形状部１３Ｒの外周面に空気取入口１３２が形成され、円筒形状部１３Ｒ内部の円形面に空気の吸入部及び吐出部が形成される。柱状部１４は略直方体状に形成され、内部に空気流路が形成され、ダイヤフラム接合部１３とは反対側の一側面（ケース３の一端面に対応する側面）の上部側にノズル１４１（空気出口１４０）が突設され、また、ダイヤフラム接合部１３の略円筒形状部１３Ｒに隣接する他の側面の上部に平断面が略Ｃ字状の係止部１４２が突設される。ダイヤフラム１５は、ゴム材により、全体が略椀形状に形成され、その外側面で中心位置に、ポンプ駆動装置２に採用されるアーム２３を取り付けるためのねじ挿通部が突状に設けられて、タンク１１のダイヤフラム接合部１３（の円筒形状部１３Ｒ）に気密に被着される。
【００１０】
ポンプ駆動装置２は、電磁駆動機構２１と、この電磁駆動機構２１の電磁作用によって揺動運動するマグネット２２付きのアーム２３とを具備する。この場合、電磁駆動機構２１は、電磁回路を形成するヨーク及びこのヨークに取り付けられたコアと、コアに巻装された電磁コイルとにより構成される。アーム２３は金属製の細長い板で、先端側の一部が略直角方向に曲げられて、その外側面にマグネット２２が取り付けられる。また、アーム２３の基端側は略Ｃ字形に形成され、中間にねじ挿通穴が穿たれる。このようにしてアーム３３は、基端にゴム製の円筒状の保持部材が装着され、この保持部材を介してタンク１１の係止部１４２に傾動可能に保持され、中間のねじ挿通穴とダイヤフラム１５中心のねじ挿通部とを合せてねじが通され、ナットに締め込まれて、ダイヤフラム１５の作用面（変形面）上に横断的に取り付けられる。
【００１１】
ケース３はプラスチック材により成形され、下部ケース３１と上部ケース３２とを有し、全体が横長の略直方体形状に組み立てられる。下部ケース３１は、上面に開口を有し、周壁３１１と底壁３１２とからなる。この下部ケース３１には底壁３１２の４隅に脚の取付部が形成されて、４つの脚３３が取り付けられる。また、この下部ケース３１の後述する駆動系収容部３１３側の底壁には、空気取込口が内側底面から外側底面に向けて突状に形成され、この空気取込口にフィルタが装填される。下部ケース３１の内部には、その一端側に電磁駆動機構２１を構成する各部を配置するための駆動系収容部３１３が仕切壁により画成される。この駆動系収容部３１３に電磁駆動機構２１を構成するヨーク、コア、電磁コイルが組み込まれる。また、その他端側はポンプ動作を行なう各部を配置するための動作系収容部３１４が画成され、その底面にタンク１１が嵌合可能な凹部が形成され、この収容部の端面に半円状のノズル挿通部が設けられる。この収容部３１４にタンク１１がノズル１４１をノズル挿通部に挿通して凹部内に嵌め込まれ、このタンク１１とともにダイヤフラム１５及びアーム２３が組み込まれる。ダイヤフラム１５の作用面（変形面）上に横断的に取り付けられたアーム２３は駆動系収容部３１３に向けて延び、その先端のマグネット２２が電磁駆動機構２１(のヨーク)に対向配置される。そして、タンク１１はその取付フランジ１２Ｆのねじ通し穴にねじが挿通されて下部ケース３１の底面に固定される。一方、上部ケース３２には、（図１（Ａ）に示すように、）その周壁３２１に下部ケース３１の半円状のノズル挿通部に対応する半円状のノズル挿通部を有し、その天壁３２２（の内側面）に下部ケース３１内に組み込まれたタンク１１のダイヤフラム接合部１３上の突起１３１に対応する位置にその突起１３１が圧入可能なボス孔３２３が突設される。下部ケース３１内に各種装置１、２が組み込まれた後、上部ケース３２が下部ケース３１上に被せ付けられて、各半円状のノズル挿通部が合わせられるとともに、上部ケース３２内側のボス孔３２３にタンク１１の突起１３１が圧入されてタンク１１が上から押さえ込まれる。下部ケース３１と上部ケース３２は四隅をねじ止めされて結合される。
【００１２】
このようにしてエアー・ポンプＰ１の動作系、駆動系の各部１、２が構成され、交流電源の供給により、電磁式のポンプ駆動装置２が作動されて、ダイヤフラム式のポンプ装置１が駆動されるようになっている。このエアー・ポンプＰ１の場合、既述のとおり、ＡＣアダプタ４と、インバータ装置５とを備え、商用交流電源から交流電源を、ＡＣアダプタ４により、必要低電圧の直流電源に変換し、この直流電流を、インバータ装置５により、交流電源に変換してポンプ駆動装置２へ供給する電源供給方式が採用される。
【００１３】
この第１の実施の形態では、インバータ装置５はエアー・ポンプＰ１の内部部品で、インバータ回路、変圧器などにより構成され、ケース３（の駆動系収容部３１３）に内蔵されて、電磁駆動機構２１（の電磁コイル）に接続され、ケース３の適宜の面にインバータ装置５に電源を接続、供給するための電源ジャックＪ５が設けられる。これに対して、ＡＣアダプタ４はОＡ機器や携帯端末に広く使用される外部部品で、１００Ｖの交流電源を必要低電圧、例えば１２Ｖの直流電源に変換するアダプタ本体４３と、商用交流電源に接続されるＡＣ電源プラグ４１及びＡＣ電源プラグ４１からＡＣアダプタ本体４３へＡＣ１００Ｖの交流電源を供給するＡＣケーブル４２と、アダプタ本体４３から必要低電圧（１２Ｖ）の直流電源を供給するＤＣケーブル４４及びケース３の電源ジャックＪ５に接続されるＤＣ電源プラグ４５とを備える。なお、このＡＣアダプタ４はＡＣ電源プラグ４１とアダプタ本体４３が一体化されて、ＡＣケーブル４２が省略された構成でもよい。
【００１４】
エアー・ポンプＰ１を駆動する場合、ＡＣアダプタ４のＤＣ電源プラグ４５をケース３の電源ジャックＪ５に差し込んで、ＡＣアダプタ４とエアー・ポンプＰ１内のインバータ装置５を接続し、ＡＣアダプタ４のＡＣ電源プラグ４１を一般家庭の商用交流電源（ＡＣコンセント）に接続する。商用交流電源の１００Ｖの交流電源は、ＡＣアダプタ４により、必要低電圧の、例えば１２Ｖの直流電源に変換され、この直流電流が、ケース３内部のインバータ装置５により、交流電源に変換されてポンプ駆動装置２（の電磁駆動機構２１）へ供給される。ポンプ駆動装置２に交流電流が通電されると、電磁駆動機構２１の作用（極性の変化）により、この電磁駆動機構２１に対向配置されたマグネット２２は吸引、反発を繰り返し、アーム２３が揺動される。このアーム２３の揺動運動によりダイヤフラム１５が振動して、空気の吸入、吐出動作が行われ、空気取入口１３２から取り入れられた空気はタンク１１内部の空気流路を通って、ノズル１４１（空気出口１４０）から吐出される。
【００１５】
このようにしてエアー・ポンプＰ１は必要低電圧（例えば、１２Ｖ）により駆動されているので、エアー・ポンプＰ１の駆動中に、このエアー・ポンプＰ１を誤って水槽の水の中に落としてしまっても、水槽からエアー・ポンプＰ１を取り出すときに、人体に感電のおそれはなく、エアー・ポンプＰ１を安全に取り出すことができる。
【００１６】
以上説明したように、このエアー・ポンプＰ１では、交流電源により電磁式のポンプ駆動装置２を作動し、ダイヤフラム式のポンプ装置１を駆動するエアー・ポンプの駆動形式において、商用交流電源から交流電源を、ＡＣアダプタ４により、必要低電圧の直流電源に変換し、この直流電流を、インバータ装置５により、交流電源に変換してポンプ駆動装置２へ供給するので、このエアー・ポンプＰ１を電源が入ったままで、万が一水槽の水の中に落としても、それを取り出すときに、人体に影響はなく、高度の安全を図ることができる。
【００１７】
なお、この実施の形態では、インバータ装置がケースに内蔵されて、ケースにインバータ装置に電源を接続、供給するための電源ジャックが設けられ、ＡＣアダプタは直流電源を供給するＤＣ電源プラグ付きのＤＣケーブルを有し、ＤＣ電源プラグが電源ジャックに差し込まれて、インバータ装置に接続される形式が採用されているが、ＡＣアダプタのケーブルはケースに内蔵されたインバータ装置に直結されてもよい。この直結方式により、インバータ装置とＡＣアダプタとの接続構造を簡易にして、コストの低減を図ることができる。
【００１８】
図３に第２の実施の形態を示している。図３に示すように、エアー・ポンプＰ２は、観賞魚飼育用の水槽などに併設されて、水槽の水の中にエアを供給するのに使用する小型のエアー・ポンプで、空気を吸入し、送り出すダイヤフラム式のポンプ装置と、交流電源により作動され、ポンプ装置を駆動する電磁式のポンプ駆動装置とを備え、これら各部がケース３に収容されて構成される。そして、このエアー・ポンプＰ２においても、特有の電源供給方式が採用され、商用交流電源に接続するためのＡＣ電源プラグ６１を有し、交流電源を必要低電圧の直流電源に変換するＡＣアダプタ６と、ＡＣアダプタ６に機械的電気的に接続され、直流電源を交流電源に変換してポンプ駆動装置へ供給するインバータ装置７とを併せて備える。なお、ここでポンプ装置、ポンプ駆動装置は、第１の実施の形態と同じなので、その重複した説明及び図示を省略している。また、ケース３については第１の実施の形態と概ね同じであるが、インバータ装置７との関連で別異な構成を含むので、第１の実施の形態と共通する部分に第１の実施の形態と同一の符号を付してその説明を省略し、第１の実施の形態と異なる部分に新たな符号を付して説明を追加する。ＡＣアダプタ６、インバータ装置７については第１の実施の形態と若干異なる構成を採るので、新たに符号を付して説明を行う。
【００１９】
この第２の実施の形態の場合、インバータ装置７はエアー・ポンプＰ２の外部部品で、インバータ回路、変圧器などにより構成され、インバータ収容ケース７０に収容されて、エアー・ポンプＰ２のケース３の外部に一体的に設けられ、インバータ装置７とポンプ駆動装置が機械的電気的に結合される。この場合、インバータ収容ケース７０に、インバータ装置７に電源を接続、供給するための電源ジャックＪ７が設けられる。なお、このインバータ収容ケース７０はエアー・ポンプＰ２のケース３の外部に着脱可能に取り付けられてもよく、エアー・ポンプＰ２のケース３の外部に完全に一体化されてもよい。これに対して、ＡＣアダプタ６はОＡ機器や携帯端末に広く使用される外部部品で、１００Ｖの交流電源を必要低電圧、例えば１２Ｖの直流電源に変換するアダプタ本体６３と、商用交流電源に接続されるＡＣ電源プラグ６１及びＡＣ電源プラグ６１からＡＣアダプタ本体６３へＡＣ１００Ｖの交流電源を供給するＡＣケーブル６２と、アダプタ本体６３から必要低電圧の直流電源を供給するＤＣケーブル６４及びインバータ収容ケース７０の電源ジャックＪ７に接続されるＤＣ電源プラグ６５とを備える。なお、このＡＣアダプタ６はＡＣ電源プラグ６１とアダプタ本体６３が一体化されて、ＡＣケーブル６２が省略された構成でもよい。
【００２０】
エアー・ポンプＰ２を駆動する場合、ＡＣアダプタ６のＤＣ電源プラグ６５をインバータ収容ケース７０の電源ジャックＪ７に差し込んで、ＡＣアダプタ６とエアー・ポンプＰ２外部のインバータ装置７を接続し、ＡＣアダプタ６のＡＣ電源プラグ６１を一般家庭の商用交流電源（ＡＣコンセント）に接続する。商用交流電源の１００Ｖの交流電源は、ＡＣアダプタ６により、必要低電圧の、例えば１２Ｖの直流電源に変換され、この直流電流が、ケース３外部のインバータ装置７により、交流電源に変換されてポンプ駆動装置（の電磁駆動機構）へ供給される。ポンプ駆動装置に交流電流が通電されると、電磁駆動機構の作用（極性の変化）により、この電磁駆動機構に対向配置されたマグネットは吸引、反発を繰り返し、アームが揺動される。このアームの揺動運動によりダイヤフラムが振動して、空気の吸入、吐出動作が行われ、空気取入口から取り入れられた空気はタンク内部の空気流路を通って、ノズル１４１（空気出口１４０）から吐出される。
【００２１】
このようにしてエアー・ポンプＰ２は必要低電圧（例えば、１２Ｖ）により駆動されているので、エアー・ポンプＰ２の駆動中に、このエアー・ポンプＰ２を誤って水槽の水の中に落としてしまっても、水槽からエアー・ポンプＰ２を取り出すときに、人体に感電のおそれはなく、エアー・ポンプＰ２を安全に取り出すことができる。
【００２２】
以上説明したように、このエアー・ポンプＰ２では、交流電源により電磁式のポンプ駆動装置を作動し、ダイヤフラム式のポンプ装置を駆動するエアー・ポンプの駆動形式において、商用交流電源から交流電源を、ＡＣアダプタ６により、必要低電圧の直流電源に変換し、この直流電流を、インバータ装置７により、交流電源に変換してポンプ駆動装置へ供給するので、このエアー・ポンプＰ２を電源が入ったままで、万が一水槽の水の中に落としても、それを取り出すときに、人体に影響はなく、高度の安全を図ることができる。
【００２３】
なお、この実施の形態では、インバータ装置がケースの外部に一体的に設けられて、インバータ装置とポンプ駆動装置が機械的電気的に結合されるとともに、インバータ装置に電源を接続、供給するための電源ジャックが設けられ、ＡＣアダプタは直流電源を供給するＤＣ電源プラグ付きのＤＣケーブルを有し、ＤＣ電源プラグが電源ジャックに差し込まれて、インバータ装置に接続される形式が採用されているが、ＡＣアダプタのケーブルはケースの外部に設けられたインバータ装置に直結されてもよい。この直結方式により、インバータ装置とＡＣアダプタとの接続構造を簡易にして、コストの低減を図ることができる。
【００２４】
図４に第３の実施の形態を示している。図４に示すように、エアー・ポンプＰ３は、観賞魚飼育用の水槽などに併設されて、水槽の水の中にエアを供給するのに使用する小型のエアー・ポンプで、空気を吸入し、送り出すダイヤフラム式のポンプ装置と、交流電源により作動され、ポンプ装置を駆動する電磁式のポンプ駆動装置とを備え、これら各部がケース３に収容されて構成される。そして、このエアー・ポンプＰ３においても、特有の電源供給方式が採用され、商用交流電源に接続するためのＡＣ電源プラグ８１を有し、交流電源を必要低電圧の直流電源に変換するＡＣアダプタ８と、ＡＣアダプタ８に機械的電気的に接続され、直流電源を交流電源に変換してポンプ駆動装置へ供給するインバータ装置９とを併せて備える。なお、ここでポンプ装置、ポンプ駆動装置は、第１の実施の形態と同じなので、その重複した説明及び図示を省略している。また、ケース３については第１の実施の形態と概ね同じであるが、インバータ装置７との関連で別異な構成を含むので、第１の実施の形態と共通する部分に第１の実施の形態と同一の符号を付してその説明を省略し、第１の実施の形態と異なる部分に新たな符号を付して説明を追加する。ＡＣアダプタ８、インバータ装置９については第１の実施の形態と若干異なる構成を採るので、新たに符号を付して説明を行う。
【００２５】
この第３の実施の形態の場合、インバータ装置９はエアー・ポンプＰ３の外部部品で、インバータ回路、変圧器などにより構成され、インバータ収容ケース９０に収容されて、エアー・ポンプＰ３のケース３と別体の外置き式に構成される。このインバータ装置９の場合、インバータ収容ケース９０に、ポンプ駆動装置に交流電源を供給するＡＣ電源プラグ９１付きのＡＣケーブル９２が配設され、また、このインバータ装置９に直流電源を接続、供給するための電源ジャックＪ９が設けられる。これに対して、エアー・ポンプＰ３のケース３の適宜位置には、ポンプ駆動装置に交流電源を接続、供給するための電源ジャックＪ３が設けられ、インバータ装置９のＡＣ電源プラグ９１が電源ジャックＪ３に差し込まれて、インバータ装置９とポンプ駆動装置が接続される。また、ＡＣアダプタ８はОＡ機器や携帯端末に広く使用される外部部品で、１００Ｖの交流電源を必要低電圧、例えば１２Ｖの直流電源に変換するアダプタ本体８３と、商用交流電源に接続されるＡＣ電源プラグ８１及びＡＣ電源プラグ８１からＡＣアダプタ本体８３へＡＣ１００Ｖの交流電源を供給するＡＣケーブル８２と、アダプタ本体８３から必要低電圧の直流電源を供給するＤＣケーブル８４及びインバータ収容ケース９０の電源ジャックＪ９に接続されるＤＣ電源プラグ８５とを備え、ＤＣ電源プラグ８５がインバータ収容ケース９０の電源ジャックＪ９に接続されて、ＡＣアダプタ８とインバータ装置９が機械的電気的に結合される。なお、このＡＣアダプタ８はＡＣ電源プラグ８１とアダプタ本体８３が一体化されて、ＡＣケーブル８２が省略された構成でもよい。
【００２６】
エアー・ポンプＰ３を駆動する場合、インバータ装置９のＡＣ電源プラグ９１を（エアー・ポンプＰ３の）ケース３の電源ジャックＪ３に差し込んで、インバータ装置９とポンプ駆動装置２を接続し、ＡＣアダプタ８のＤＣ電源プラグ８５をインバータ装置９の電源ジャックＪ９に差し込んで、ＡＣアダプタ８とインバータ装置９を接続した後、ＡＣアダプタ８のＡＣ電源プラグ８１を一般家庭の商用交流電源（ＡＣコンセント）に接続する。商用交流電源の１００Ｖの交流電源は、ＡＣアダプタ８により、必要低電圧の、例えば１２Ｖの直流電源に変換され、この直流電流が、ケース３外部のインバータ装置９により、交流電源に変換されてポンプ駆動装置（の電磁駆動機構）へ供給される。ポンプ駆動装置に交流電流が通電されると、電磁駆動機構の作用（極性の変化）により、この電磁駆動機構に対向配置されたマグネットは吸引、反発を繰り返し、アームが揺動される。このアームの揺動運動によりダイヤフラムが振動して、空気の吸入、吐出動作が行われ、空気取入口から取り入れられた空気はタンク内部の空気流路を通って、ノズル１４１（空気出口１４０）から吐出される。
【００２７】
このようにしてエアー・ポンプＰ３は必要低電圧（例えば、１２Ｖ）により駆動されているので、エアー・ポンプＰ３の駆動中に、このエアー・ポンプＰ３を誤って水槽の水の中に落としてしまっても、水槽からエアー・ポンプＰ３を取り出すときに、人体に感電のおそれはなく、エアー・ポンプＰ３を安全に取り出すことができる。
【００２８】
以上説明したように、このエアー・ポンプＰ３では、交流電源により電磁式のポンプ駆動装置を作動し、ダイヤフラム式のポンプ装置を駆動するエアー・ポンプの駆動形式において、商用交流電源から交流電源を、ＡＣアダプタ８により、必要低電圧の直流電源に変換し、この直流電流を、インバータ装置９により、交流電源に変換してポンプ駆動装置へ供給するので、このエアー・ポンプＰ３を電源が入ったままで、万が一水槽の水の中に落としても、それを取り出すときに、人体に影響はなく、高度の安全を図ることができる。
【００２９】
なお、この実施の形態では、インバータ装置はケースと別体の外置き式に構成されて、インバータ装置に電源ジャックが設けられるとともに、ＡＣアダプタに直流電源を供給するＤＣ電源プラグ付きのＤＣケーブルが設けられ、ＤＣ電源プラグが電源ジャックに差し込まれて、ＡＣアダプタとインバータ装置が機械的電気的に結合され、さらにインバータ装置に交流電源を供給するＡＣ電源プラグ付きのＡＣケーブルが配設されるとともに、ケースにポンプ駆動装置に電源を接続、供給するための電源ジャックが設けられ、ＡＣ電源プラグが電源ジャックに差し込まれて、インバータ装置とポンプ駆動装置が接続される形式が採用されているが、ＡＣアダプタのケーブルはインバータ装置に直結されてもよく、また、インバータ装置のケーブルはケース内部のポンプ駆動装置に直結されてもよい。この直結方式により、インバータ装置とＡＣアダプタとの接続構造を簡易にして、コストの低減を図ることができる。
【００３０】
また、各実施の形態において、エアー・ポンプＰ１、Ｐ２、Ｐ３を、観賞魚飼育用の水槽などに併設して、水槽の水の中にエアを供給する小型のエアー・ポンプとして例示しているが、これらのエアー・ポンプを、例えば、アロマテラピー（芳香療法）に採用される精油やその他各種の芳香剤などの芳香の放出に使用するなど、一般の家庭やオフィスなどでエアーの供給が必要な各種の目的、用途に利用することもできる。
【図面の簡単な説明】
【００３１】
【図１】本発明の第１の実施の形態におけるエアー・ポンプの斜視図
【図２】（Ａ）同エアー・ポンプの上部ケースの平面図（Ｂ）同エアー・ポンプの下部ケースに収容された各機能部の平面図
【図３】本発明の第２の実施の形態におけるエアー・ポンプの斜視図
【図４】本発明の第３の実施の形態におけるエアー・ポンプの斜視図
【符号の説明】
【００３２】
Ｐ１  エアー・ポンプ
１  ポンプ装置
１１  タンク
１２  ベース
１２Ｆ  取付フランジ
１３  ダイヤフラム接合部
１３Ｄ  略Ｄ字形形状部
１３Ｒ  略円筒形状部
１３１  突起
１３２  空気取入口
１４  柱状部
１４０  空気出口
１４１  ノズル
１４２  係止部
１５  ダイヤフラム
２  ポンプ駆動装置
２１  電磁駆動機構
２２  マグネット
２３  アーム
３  ケース
Ｊ３  電源ジャック
３１  下部ケース
３１１  周壁
３１２  底壁
３１３  駆動系収容部
３１４  動作系収容部
３２  上部ケース
３２１  周壁
３２２  天壁
３２３  ボス孔
３３  脚
４  ＡＣアダプタ
４１  ＡＣ電源プラグ
４２  ＡＣケーブル
４３  アダプタ本体
４４  ＤＣケーブル
４５  ＤＣ電源プラグ
５  インバータ装置
Ｊ５  電源ジャック
Ｐ２  エアー・ポンプ
６  ＡＣアダプタ
６１  ＡＣ電源プラグ
６２  ＡＣケーブル
６３  アダプタ本体
６４  ＤＣケーブル
６５  ＤＣ電源プラグ
７  インバータ装置
７０  インバータ収容ケース
Ｊ７  電源ジャック
Ｐ３  エアー・ポンプ
８  ＡＣアダプタ
８１  ＡＣ電源プラグ
８２  ＡＣケーブル
８３  アダプタ本体
８４  ＤＣケーブル
８５  ＤＣ電源プラグ
９  インバータ装置
９０  インバータ収容ケース
Ｊ９  電源ジャック
９１  ＡＣ電源プラグ
９２  ＡＣケーブル
【図１】
2008057408.tif 000003
【図２】
2008057408.tif 000004
【図３】
2008057408.tif 000005
【図４】
2008057408.tif 000006